(57)【要約】【課題】画像データに付与するファイル名を、ユーザが望むワードの順番通りに簡単な操作で指定できるようにする。【解決手段】原稿の画像を読み取り、画像データを生成する画像読取部４と、画像データのファイル名として又はその一部として使用可能な複数の候補ワードを予め記憶する候補ワード記憶部１２ｃと、候補ワード記憶部に予め記憶された複数の候補ワードを選択可能なワード選択ボタンとして表示部に表示させる表示制御部１１ａと、表示されたワード選択ボタンの中の、ユーザによって選択された１乃至複数の指定ボタンによって表される候補ワードを指定ワードとして入力することにより、ファイル名を決定するワード選択部１１ｂと、ワード選択部によって決定されたファイル名を画像データに付与することにより、画像ファイルデータを作成するファイル作成部１１ｃとを有する。【選択図】図２
2013045291.tif 000002
【特許請求の範囲】
【請求項１】
原稿の画像を読み取る画像読取装置において、
前記原稿の画像を読み取り、当該原稿の画像データを生成する画像読取部と、
前記画像データのファイル名として又はその一部として使用可能な複数の候補ワードを予め記憶する候補ワード記憶部と、
前記候補ワード記憶部に予め記憶された複数の前記候補ワードを選択可能なワード選択ボタンとして表示部に表示させる表示制御部と、
前記表示部に表示された前記ワード選択ボタンの中の、ユーザによって選択された１乃至複数の指定ボタンによって表される候補ワードを指定ワードとして入力することにより、前記ファイル名を決定するワード選択部と、
前記ワード選択部によって決定された前記ファイル名を前記画像読取部によって生成された前記画像データに付与することにより、画像ファイルデータを作成するファイル作成部とを有する
ことを特徴とする画像読取装置。
【請求項２】
請求項１に記載の画像読取装置において、
前記ワード選択部は、入力された順番通りに指定ワードを連結することにより、前記ファイル名を決定する
ことを特徴とする画像読取装置。
【請求項３】
請求項１又は請求項２に記載の画像読取装置において、
前記表示制御部は、前記表示部に、前記ワード選択ボタンを選択可能に一覧表示又はスクロール可能でかつ選択可能に一覧表示させる
ことを特徴とする画像読取装置。
【請求項４】
請求項１乃至請求項３のいずれか一項に記載の画像読取装置において、
前記表示制御部は、前記表示部に、前記ワード選択部によって入力された前記指定ワードを表す前記ワード選択ボタンを指定ボタンとして強調表示させる
ことを特徴とする画像読取装置。
【請求項５】
請求項４に記載の画像読取装置において、
前記表示制御部は、前記指定ボタンが複数存在する場合に、前記表示部に、全ての前記指定ボタンを強調表示させる
ことを特徴とする画像読取装置。
【請求項６】
請求項１乃至請求項５のいずれか一項に記載の画像読取装置において、
前記ワード選択部によって決定された前記ファイル名を指定ファイル名とする場合に、
前記表示制御部は、前記指定ファイル名を表示する指定ファイル名表示欄を含む、前記ワード選択ボタンの中から前記指定ワードを前記ユーザに選択させるための選択画面を作成し、前記表示部に、当該選択画面を表示させる
ことを特徴とする画像読取装置。
【請求項７】
請求項６に記載の画像読取装置において、
前記表示制御部は、前記ワード選択部によって複数の前記指定ワードが入力された場合に、複数の前記指定ワードが連結された前記指定ファイル名を前記指定ファイル名表示欄に表示させる
ことを特徴とする画像読取装置。
【請求項８】
請求項７に記載の画像読取装置において、
前記表示制御部は、前記表示部に、前記ワード選択部によって入力された前記指定ワードを表す前記ワード選択ボタンを指定ボタンとして強調表示させる場合で、かつ、すでに強調表示された前記指定ボタンが前記ユーザによって再び選択される場合に、当該再び選択された指定ボタンによって表される指定ワードを重複して含む指定ファイル名を前記指定ファイル名表示欄に表示させる
ことを特徴とする画像読取装置。
【請求項９】
請求項６乃至請求項８のいずれか一項に記載の画像読取装置において、
さらに、前記指定ファイル名表示欄に表示された前記指定ファイル名を前記候補ワードとして前記候補ワード記憶部に記憶させる候補ワード登録部を有する
ことを特徴とする画像読取装置。
【請求項１０】
請求項１乃至請求項９のいずれか一項に記載の画像読取装置において、
前記表示制御部は、前記候補ワードとして新規に登録するワードを前記ユーザに入力させるための登録画面を作成し、前記表示部に、当該登録画面を表示させる
ことを特徴とする画像読取装置。
【請求項１１】
請求項１０に記載の画像読取装置において、
さらに、前記登録画面で入力されたワードを前記候補ワードとして前記候補ワード記憶部に記憶させる候補ワード登録部を有する
ことを特徴とする画像読取装置。
【請求項１２】
請求項１乃至請求項１１のいずれか一項に記載の画像読取装置において、
前記候補ワード記憶部、前記表示制御部、及び、前記ワード選択部が外部に設けられている
ことを特徴とする画像読取装置。
【請求項１３】
請求項１乃至請求項１２のいずれか一項に記載の画像読取装置において、
さらに、前記ファイル作成部によって作成された前記画像ファイルデータを外部に送信するファイル送信部を有する
ことを特徴とする画像読取装置。
【請求項１４】
原稿の画像を読み取り、当該原稿の画像データを生成する画像読取部と、前記画像データのファイル名として又はその一部として使用可能な複数の候補ワードを予め記憶する候補ワード記憶部とを有する画像読取装置の制御部を、
前記候補ワード記憶部に予め記憶された複数の前記候補ワードを選択可能なワード選択ボタンとして表示部に表示させる表示制御部と、
前記表示部に表示された前記ワード選択ボタンの中の、ユーザによって選択された１乃至複数の指定ボタンによって表される候補ワードを指定ワードとして入力することにより、前記ファイル名を決定するワード選択部と、
前記ワード選択部によって決定された前記ファイル名を前記画像読取部によって生成された前記画像データに付与することにより、画像ファイルデータを作成するファイル作成部として機能させる
ことを特徴とするプログラム。
【請求項１５】
原稿の画像を読み取り、当該原稿の画像データを生成する画像読取装置と、当該画像読取装置と通信する携帯情報端末とを有する画像読取システムにおいて、
前記携帯情報端末は、
前記画像データのファイル名として又はその一部として使用可能な複数の候補ワードを予め記憶する候補ワード記憶部と、
前記候補ワード記憶部に予め記憶された複数の前記候補ワードを選択可能なワード選択ボタンとして表示部に表示させる表示制御部と、
前記表示部に表示された前記ワード選択ボタンの中の、ユーザによって選択された１乃至複数の指定ボタンによって表される候補ワードを指定ワードとして入力することにより、前記ファイル名を決定するワード選択部と、
前記画像読取装置と通信して、前記ワード選択部によって決定された前記ファイル名を前記画像読取装置に送信する携帯情報端末側通信部とを備え、
前記画像読取装置は、
前記携帯情報端末と通信して、前記携帯情報端末から前記ファイル名を受信する画像読取装置側通信部と、
前記原稿の画像を読み取り、当該原稿の画像データを生成する画像読取部と、
前記携帯情報端末から受信された前記ファイル名を前記画像読取部によって生成された前記画像データに付与することにより、画像ファイルデータを作成するファイル作成部とを備える
ことを特徴とする画像読取システム。
【請求項１６】
原稿の画像を読み取り、当該原稿の画像データを生成する画像読取装置と通信して、１乃至複数の指定ワードに基づいて決定される当該画像データのファイル名を当該画像読取装置に送信する携帯情報端末側通信部と、当該画像データのファイル名として又はその一部として使用可能な複数の候補ワードを予め記憶する候補ワード記憶部とを有する携帯情報端末の制御部を、
前記候補ワード記憶部に予め記憶された複数の前記候補ワードを選択可能なワード選択ボタンとして表示部に表示させる表示制御部と、
前記表示部に表示された前記ワード選択ボタンの中の、ユーザによって選択された１乃至複数の指定ボタンによって表される候補ワードを指定ワードとして入力することにより、前記ファイル名を決定するワード選択部として機能させる
ことを特徴とするプログラム。
【請求項１７】
携帯情報端末と通信して、当該携帯情報端末からファイル名を受信する画像読取装置側通信部と、原稿の画像を読み取り、当該原稿の画像データを生成する画像読取部とを有する画像読取装置の制御部を、
前記携帯情報端末から受信された前記ファイル名を前記画像読取部によって生成された前記画像データに付与することにより、画像ファイルデータを作成するファイル作成部として機能させる
ことを特徴とするプログラム。
【発明の詳細な説明】
【技術分野】
【０００１】
本発明は、読み取られた原稿の画像データに付与するファイル名を、ユーザが望むワードの順番通りに簡単な操作で指定する画像読取装置、及び、当該画像読取装置を実現するプログラムに関する。
【０００２】
また、本発明は、読み取られた原稿の画像データに付与するファイル名を、ユーザが望むワードの順番通りに簡単な操作で指定する画像読取システム、当該画像読取システムに用いる携帯情報端末を実現するプログラム、及び、当該画像読取システムに用いる画像読取装置を実現するプログラムに関する。
【背景技術】
【０００３】
原稿の画像を読み取る画像読取装置としては、例えば、スキャナ装置や、ファクシミリ装置、複合機（Ｍｕｌｔｉ  Ｆｕｎｃｔｉｏｎ  Ｐｒｉｎｔｅｒ；以下、「ＭＦＰ」と称する）等がある。
【０００４】
画像読取装置は、画像読取部を有しており、画像読取部によって原稿の画像を光学的に読み取り、原稿の画像データを生成し、ファイル名を画像データに付与して、画像ファイルデータを作成する（例えば、特許文献１参照）。
【０００５】
従来の画像読取装置は、ファイル名を画像データに付与する際に、ユーザが読取処理毎に事前に指定したファイル名、又は、装置自身が一定のルールに基づいて自動的に作成したファイル名を、画像データに付与する。
【０００６】
なお、従来の画像読取装置は、装置自身がファイル名を作成する場合に、以下のようにして、ファイル名を作成する。すなわち、従来の画像読取装置は、ファイル名の候補となる複数のワード（以下、「候補ワード」と称する）が記憶部に予め登録されており、一定のルールに基づいて、ファイル名に使用する１乃至複数の候補ワードを選択し、選択された複数の候補ワード同士を組み合わせたり、連続番号を、選択された候補ワード又は選択された複数の候補ワード同士の組み合わせに付加したりすることによって、ファイル名を作成する。
【先行技術文献】
【特許文献】
【０００７】
【特許文献１】特開２００６−７２８９２号公報
【発明の概要】
【発明が解決しようとする課題】
【０００８】
しかしながら、従来の画像読取装置は、ユーザがファイル名を指定する場合に、ユーザが読取処理毎に事前にファイル名を指定する必要があり、その操作が煩雑であるため、ユーザに負担を強いる、という課題があった。
【０００９】
また、従来の画像読取装置は、装置自身がファイル名を作成する場合に、作成されるファイル名が毎回類似したものとなる。例えば、従来の画像読取装置は、複数の候補ワード同士を組み合わせてファイル名を作成する際に、候補ワードの順序を固定してしまうため、作成されるファイル名が毎回類似したものとなる。その結果、従来の画像読取装置は、ユーザが画像データに付与されたファイル名を後から変更する必要があった。そのため、従来の画像読取装置は、利便性が悪い、という課題があった。
【００１０】
本発明は、前記した課題を解決するためになされたものであり、読み取られた原稿の画像データに付与するファイル名を、ユーザが望むワードの順番通りに簡単な操作で指定する画像読取装置、及び、当該画像読取装置を実現するプログラムを提供することを主な目的とする。
【００１１】
また、本発明は、読み取られた原稿の画像データに付与するファイル名を、ユーザが望むワードの順番通りに簡単な操作で指定する画像読取システム、当該画像読取システムに用いる携帯情報端末を実現するプログラム、及び、当該画像読取システムに用いる画像読取装置を実現するプログラムを提供することも主な目的とする。
【課題を解決するための手段】
【００１２】
前記目的を達成するため、第１発明は、原稿の画像を読み取る画像読取装置であって、前記原稿の画像を読み取り、当該原稿の画像データを生成する画像読取部と、前記画像データのファイル名として又はその一部として使用可能な複数の候補ワードを予め記憶する候補ワード記憶部と、前記候補ワード記憶部に予め記憶された複数の前記候補ワードを選択可能なワード選択ボタンとして表示部に表示させる表示制御部と、前記表示部に表示された前記ワード選択ボタンの中の、ユーザによって選択された１乃至複数の指定ボタンによって表される候補ワードを指定ワードとして入力することにより、前記ファイル名を決定するワード選択部と、前記ワード選択部によって決定された前記ファイル名を前記画像読取部によって生成された前記画像データに付与することにより、画像ファイルデータを作成するファイル作成部とを有する構成とする。
【００１３】
この画像読取装置は、表示制御部が、画像データのファイル名として又はその一部として使用可能な複数の候補ワードをワード選択ボタンとして表示部に表示させる。これにより、ユーザは、表示部に表示されたワード選択ボタンの中から、ファイル名に使用する候補ワードが表された１乃至複数のボタンを指定ボタンとして選択するだけで、ファイル名に使用する候補ワードを指定することができる。しかも、ユーザは、ユーザが望むワードの順番通りに、ファイル名に使用する候補ワードを指定することができる。
【００１４】
そして、この画像読取装置は、ワード選択部が、ユーザによって選択された１乃至複数の指定ボタンによって表される候補ワードを指定ワードとして入力することにより、ファイル名を決定する。ここでは、「指定ワード」とは、ファイル名に使用するためにユーザによって指定された候補ワードを意味している。また、「入力」とは、装置内部の構成要素からデータを受け付ける動作と、装置の外部からデータを受信する動作とを含んでいる。
【００１５】
この後、この画像読取装置は、ファイル作成部が、ワード選択部によって決定されたファイル名を画像データに付与することにより、画像ファイルデータを作成する。
【００１６】
したがって、この画像読取装置は、ユーザが、表示部に表示されたワード選択ボタンの中から所望のボタンを選択するだけで、ファイル名に使用する候補ワードを指定することができる。しかも、そのファイル名は、ユーザが指定した候補ワードの順番通りの構成になる。そのため、この画像読取装置は、読み取られた原稿の画像データに付与するファイル名を、ユーザが望むワードの順番通りに簡単な操作で指定することができる。
【００１７】
また、第２発明は、プログラムであって、原稿の画像を読み取り、当該原稿の画像データを生成する画像読取部と、前記画像データのファイル名として又はその一部として使用可能な複数の候補ワードを予め記憶する候補ワード記憶部とを有する画像読取装置の制御部を、前記候補ワード記憶部に予め記憶された複数の前記候補ワードを選択可能なワード選択ボタンとして表示部に表示させる表示制御部と、前記表示部に表示された前記ワード選択ボタンの中の、ユーザによって選択された１乃至複数の指定ボタンによって表される候補ワードを指定ワードとして入力することにより、前記ファイル名を決定するワード選択部と、前記ワード選択部によって決定された前記ファイル名を前記画像読取部によって生成された前記画像データに付与することにより、画像ファイルデータを作成するファイル作成部として機能させる構成とする。
このプログラムは、第１発明に係る画像読取装置を実現することができる。
【００１８】
また、第３発明は、原稿の画像を読み取り、当該原稿の画像データを生成する画像読取装置と、当該画像読取装置と通信する携帯情報端末とを有する画像読取システムであって、前記携帯情報端末は、前記画像データのファイル名として又はその一部として使用可能な複数の候補ワードを予め記憶する候補ワード記憶部と、前記候補ワード記憶部に予め記憶された複数の前記候補ワードを選択可能なワード選択ボタンとして表示部に表示させる表示制御部と、前記表示部に表示された前記ワード選択ボタンの中の、ユーザによって選択された１乃至複数の指定ボタンによって表される候補ワードを前記指定ワードとして入力することにより、前記画像データのファイル名を決定するワード選択部と、前記画像読取装置と通信して、前記ワード選択部によって決定された前記ファイル名を前記画像読取装置に送信する携帯情報端末側通信部とを備え、前記画像読取装置は、前記携帯情報端末と通信して、前記携帯情報端末から前記ファイル名を受信する画像読取装置側通信部と、前記原稿の画像を読み取り、当該原稿の画像データを生成する画像読取部と、前記携帯情報端末から受信された前記ファイル名を前記画像読取部によって生成された前記画像データに付与することにより、画像ファイルデータを作成するファイル作成部とを備える構成とする。
【００１９】
この画像読取システムは、携帯情報端末の表示制御部が、画像データのファイル名として又はその一部として使用可能な複数の候補ワードをワード選択ボタンとして表示部に表示させる。これにより、ユーザは、表示部に表示されたワード選択ボタンの中から、ファイル名に使用する候補ワードが表された１乃至複数のボタンを指定ボタンとして選択するだけで、ファイル名に使用する候補ワードを指定することができる。しかも、ユーザは、ユーザが望むワードの順番通りに、ファイル名に使用する候補ワードを指定することができる。
【００２０】
そして、この画像読取システムは、携帯情報端末のワード選択部が、ユーザによって選択された１乃至複数の指定ボタンによって表される候補ワードを指定ワードとして入力することにより、ファイル名を決定し、さらに、携帯情報端末の通信部が、ワード選択部によって決定されたファイル名を画像読取装置に送信する。ここでは、「指定ワード」とは、ファイル名に使用するためにユーザによって指定された候補ワードを意味している。
【００２１】
この後、この画像読取システムは、画像読取装置の通信部が、携帯情報端末からファイル名を受信する。そして、この画像読取システムは、画像読取装置のファイル作成部が、携帯情報端末から受信されたファイル名を画像読取部によって読み取られた画像データに付与することにより、画像ファイルデータを作成する。
【００２２】
したがって、この画像読取システムは、ユーザが、携帯情報端末の表示部に表示されたワード選択ボタンの中から所望のボタンを選択するだけで、ファイル名に使用する候補ワードを指定することができる。しかも、そのファイル名は、ユーザが指定した候補ワードの順番通りの構成になる。そのため、この画像読取システムは、読み取られた原稿の画像データに付与するファイル名を、ユーザが望むワードの順番通りに簡単な操作で指定することができる。
【００２３】
また、第４発明は、プログラムであって、原稿の画像を読み取り、当該原稿の画像データを生成する画像読取装置と通信して、１乃至複数の指定ワードに基づいて決定される当該画像データのファイル名を当該画像読取装置に送信する携帯情報端末側通信部と、当該画像データのファイル名として又はその一部として使用可能な複数の候補ワードを予め記憶する候補ワード記憶部とを有する携帯情報端末の制御部を、前記候補ワード記憶部に予め記憶された複数の前記候補ワードを選択可能なワード選択ボタンとして表示部に表示させる表示制御部と、前記表示部に表示された前記ワード選択ボタンの中の、ユーザによって選択された１乃至複数の指定ボタンによって表される候補ワードを前記指定ワードとして入力することにより、前記ファイル名を決定するワード選択部として機能させる構成とする。
このプログラムは、第３発明に係る画像読取システムに用いる携帯情報端末を実現することができる。
【００２４】
また、第５発明は、プログラムであって、携帯情報端末と通信して、当該携帯情報端末からファイル名を受信する画像読取装置側通信部と、原稿の画像を読み取り、当該原稿の画像データを生成する画像読取部とを有する画像読取装置の制御部を、前記携帯情報端末から受信された前記ファイル名を前記画像読取部によって生成された前記画像データに付与することにより、画像ファイルデータを作成するファイル作成部として機能させる構成とする。
このプログラムは、第３発明に係る画像読取システムに用いる画像読取装置を実現することができる。
【発明の効果】
【００２５】
第１発明によれば、読み取られた原稿の画像データに付与するファイル名を、ユーザが望むワードの順番通りに簡単な操作で指定する画像読取装置を提供することができる。
また、第２発明によれば、第１発明に係る画像読取装置を実現するプログラムを提供することができる。
また、第３発明によれば、携帯情報端末と画像読取装置とを有し、読み取られた原稿の画像データに付与するファイル名を、ユーザが望むワードの順番通りに簡単な操作で指定する画像読取システムを提供することができる。
また、第４発明によれば、第３発明に係る画像読取システムに用いる携帯情報端末を実現するプログラムを提供することができる。
また、第５発明によれば、第３発明に係る画像読取システムに用いる画像読取装置を実現するプログラムを提供することができる。
【図面の簡単な説明】
【００２６】
【図１】実施形態１に係る画像読取装置の構成を示す図（１）である。
【図２】実施形態１に係る画像読取装置の構成を示す図（２）である。
【図３】実施形態１に係る画像読取装置の動作を示すフローチャートである。
【図４】実施形態１で用いる表示画面の一例を示す図である。
【図５】実施形態２に係る画像読取装置の動作を示すフローチャートである。
【図６Ａ】実施形態２で用いる表示画面の一例を示す図（１）である。
【図６Ｂ】実施形態２で用いる表示画面の一例を示す図（２）である。
【図７】実施形態３に係る画像読取装置の構成を示す図である。
【図８Ａ】実施形態３に係る画像読取装置の動作を示すフローチャート（１）である。
【図８Ｂ】実施形態３に係る画像読取装置の動作を示すフローチャート（２）である。
【図９】実施形態３で用いる表示画面の一例を示す図（１）である。
【図１０】実施形態３で用いる表示画面の一例を示す図（２）である。
【図１１】実施形態４に係る画像読取システムの構成を示す図（１）である。
【図１２】実施形態４に係る画像読取システムの構成を示す図（２）である。
【図１３Ａ】実施形態４に係る画像読取システムの動作を示すフローチャート（１）である。
【図１３Ｂ】実施形態４に係る画像読取システムの動作を示すフローチャート（２）である。
【図１３Ｃ】実施形態４に係る画像読取システムの動作を示すフローチャート（３）である。
【発明を実施するための形態】
【００２７】
以下、図面を参照して、本発明の実施の形態（以下、「本実施形態」と称する）につき詳細に説明する。なお、各図は、本発明を十分に理解できる程度に、概略的に示してあるに過ぎない。よって、本発明は、図示例のみに限定されるものではない。また、各図において、共通する構成要素や同様な構成要素については、同一の符号を付し、それらの重複する説明を省略する。
【００２８】
［実施形態１］
＜画像読取装置の構成＞
画像読取装置は、原稿の画像を読み取り、読み取られた原稿の画像ファイルデータを作成する装置である。画像読取装置としては、例えば、スキャナ装置や、ファクシミリ装置、複合機（Ｍｕｌｔｉ  Ｆｕｎｃｔｉｏｎ  Ｐｒｉｎｔｅｒ；以下、「ＭＦＰ」と称する）等がある。
【００２９】
画像読取装置は、スキャナ装置やファクシミリ装置、ＭＦＰ等として構成されている場合に、ネットワークを介して、画像ファイルデータを図示せぬ外部の機器（例えば、パーソナルコンピュータやプリンタ等の画像受信装置）に送信する画像送信装置として機能することができる。
【００３０】
また、画像読取装置は、スキャナ装置やＭＦＰ等として構成されている場合で、かつ、記憶媒体（例えば、メモリ部材や光学媒体等）のリーダライタを有している場合に、画像ファイルデータを記憶媒体に記憶させる画像記録装置として機能することができる。
【００３１】
以下、図１及び図２を参照して、本実施形態１に係る画像読取装置の構成につき説明する。図１及び図２は、それぞれ、実施形態１に係る画像読取装置の構成を示す図である。ここでは、画像読取装置１がＭＦＰとして構成されている場合を想定して説明する。以下、画像読取装置１を「ＭＦＰ１」と称する。図１は、ＭＦＰ１の外観を示している。図２は、ＭＦＰ１の機能ブロックを示している。
【００３２】
図１に示すように、ＭＦＰ１は、表示部２、入力部３、及び、画像読取部４を有している。また、ＭＦＰ１は、画像読取部４で読み取られた画像データや図示せぬ受信部で受信された画像データを印刷する図示せぬ印刷部を有している。ＭＦＰ１は、ネットワーク９１を介して、図示せぬ外部の機器（例えば、パーソナルコンピュータやプリンタ等の画像受信装置）と通信可能に接続されている。
【００３３】
表示部２は、各種の情報を表示する構成要素である。表示部２は、例えば、ＬＣＤ（液晶ディスプレイ；Ｌｉｑｕｉｄ  Ｃｒｙｓｔａｌ  Ｄｉｓｐｌａｙ）や、有機ＥＬ（Ｏｒｇａｎｉｃ  Ｅｌｅｃｔｒｏ  Ｌｕｍｉｎｅｓｃｅｎｃｅ）ディスプレイ、ＣＲＴ（Ｃａｔｈｏｄｅ  Ｒａｙ  Ｔｕｂｅ）等によって構成される。ここでは、表示部２は、ＬＣＤによって構成されている場合を想定して説明する。
【００３４】
入力部３は、各種の情報を入力する構成要素である。入力部３は、例えば、表示部２の上に設けられたタッチパネルや、表示部２とは異なる場所に設けられたカーソルキーや決定ボタン等の入力手段によって構成される。ここでは、入力部３は、タッチパネルによって構成されている場合を想定して説明する。
【００３５】
画像読取部４は、原稿の画像を読み取り、読み取られた原稿の画像データを生成する構成要素である。ここでは、画像読取部４は、原稿の画像を光学的に読み取る構成となっており、そのための機構として、ガラス台の上に載置（セット）された原稿の画像を光学センサによって読み取るフラットベッド（Ｆｌａｔ  Ｂｅｄ；ＦＢ）、及び、原稿を搬送しながら、搬送中の原稿の画像を光学センサによって読み取る自動原稿搬送装置（Ａｕｔｏ  Ｄｏｃｕｍｅｎｔ  Ｆｅｅｄｅｒ；ＡＤＦ）の双方を備えている場合を想定して説明する。
【００３６】
図２に示すように、ＭＦＰ１は、表示部２、入力部３、及び、画像読取部４に加え、制御部１１、記憶部１２、及び、ファイル送信部１３を有している。ただし、ファイル送信部１３は、外部の機器からデータを受信する機能を有していてもよい。
【００３７】
制御部１１は、ＣＰＵによって構成され、記憶部１２の後記するプログラム記憶部１２ａに予め記憶された図示せぬ制御プログラムを実行することにより、表示制御部１１ａ、ワード選択部１１ｂ、及び、ファイル作成部１１ｃとして機能する。
【００３８】
表示制御部１１ａは、各種の画面や情報を表示部２に表示させる機能手段である。表示制御部１１ａは、記憶部１２の後記する画面フォーム記憶部１２ｂから様々な画面のフォームデータを読み出して表示部２に表示させる。
【００３９】
例えば、表示制御部１１ａは、画像読取部４に原稿の画像の読取処理を実行させる場合に、画面フォーム記憶部１２ｂから図４に示す指定ワード選択画面１０１のフォームデータを読み出す。また、このとき、表示制御部１１ａは、ワード選択部１１ｂから、記憶部１２の後記する候補ワード記憶部１２ｃに予め記憶されている、画像データのファイル名として又はその一部として使用可能な複数のワードを表すデータ（以下、「候補ワード」と称する）を取得する。
【００４０】
図４は、実施形態１で用いる表示画面の一例を示す図である。図４は、指定ワード選択画面１０１の一例を示している。「指定ワード選択画面１０１」は、「候補ワード」の中から画像データのファイル名として又はその一部として実際に使用するワードをユーザに指定させるための選択画面である。以下、ユーザによって指定されたワードを「指定ワード」と称する。
【００４１】
「指定ワード選択画面１０１」は、「候補ワード（すなわち、画像データのファイル名として又はその一部として使用可能なワード）」を選択可能に表す複数のボタン（以下、「ワード選択ボタン１１０」と称する）が一覧表示された構成となっている。
【００４２】
図４に示す例では、「指定ワード選択画面１０１」は、ワード選択ボタン１１０に加え、取消ボタン１１１、決定ボタン１１２、及び、指定ファイル名表示欄１１３を備えた構成となっている。
【００４３】
「取消ボタン１１１」は、ユーザの操作の取り消し指示を入力するためのボタンである。
「決定ボタン１１２」は、ユーザの操作の決定指示を入力するためのボタンである。
「指定ファイル名表示欄１１３」は、ユーザによって指定されたファイル名（以下、「指定ファイル名」と称する）が表示される欄である。「指定ファイル名表示欄１１３」は、指定ワードとしてユーザに選択された候補ワードが表示される。その指定ファイル名表示欄１１３に表示された指定ワードが、指定ファイル名となる。指定ファイル名は、指定ワードが複数存在する場合に、複数の指定ワードが連結された構成となる。
【００４４】
表示制御部１１ａは、画面フォーム記憶部１２ｂから図４に示す指定ワード選択画面１０１のフォームデータを読み出すとともに、ワード選択部１１ｂから複数の候補ワードを表すデータ（以下、「候補ワードデータ」と称する）を取得すると、候補ワードの画像を指定ワード選択画面１０１のフォームデータに含まれているワード選択ボタン１１０の画像に合成して、指定ワード選択画面１０１を生成する。そして、表示制御部１１ａは、生成された指定ワード選択画面１０１を表示部２に表示させる。
【００４５】
ワード選択部１１ｂは、画像データに付与するファイル名（ここでは、ユーザによって指定された指定ファイル名）を決定する機能手段である。ユーザは、表示部２に表示された指定ワード選択画面１０１を参照して、指定ワード選択画面１０１に一覧表示された複数のワード選択ボタン１１０の中から所望の候補ワードを表す１乃至複数のボタンを選択（押下）する。ワード選択部１１ｂは、ユーザによって選択された１乃至複数のボタン（以下、「指定ボタン」と称する）によって表される候補ワードを指定ワードとして受け付ける。
【００４６】
なお、「受け付け」とは、データ（ここでは、指定ワードとしての候補ワードデータ）を記憶部１２に一時的に格納する動作を意味している。
【００４７】
具体的には、ＭＦＰ１は、ユーザが指定ワード選択画面１０１に表示された複数のワード選択ボタン１１０（図４参照）の中からいずれかのボタンを選択する度に、入力部３が選択されたボタンの座標位置を表すデータ（以下、「座標位置データ」と称する）をワード選択部１１ｂに出力する。
【００４８】
ワード選択部１１ｂは、入力部３から座標位置データが入力されると、表示制御部１１ａから表示中の指定ワード選択画面１０１のデータを取得して、座標位置データに基づいて、該当する座標位置に対応するワード選択ボタン１１０によって表される候補ワードを特定し、その候補ワードを指定ワードとして受け付ける。以下、「受け付け」を「入力」と称する場合もある。
【００４９】
なお、このとき、ワード選択部１１ｂは、入力部３から座標位置データが入力されると、座標位置データを表示制御部１１ａに出力して、座標位置データに基づいて、表示制御部１１ａから該当する座標位置に対応するワード選択ボタン１１０によって表されている候補ワードデータを取得し、その候補ワードデータに基づいて、該当する候補ワードを特定し、その候補ワードを指定ワードとして受け付けるようにしてもよい。
【００５０】
ＭＦＰ１は、ユーザが指定ワード選択画面１０１に表示された決定ボタン１１２（図４参照）を選択するまで、このような処理を繰り返す。これにより、ワード選択部１１ｂは、１乃至複数の指定ワードを受け付ける。
【００５１】
ワード選択部１１ｂは、指定ワードを受け付けると、受け付けられた指定ワードを指定ファイル名と見なし、受け付けられた指定ワードに基づいて指定ファイル名を作成する。そして、ワード選択部１１ｂは、作成された指定ファイル名のデータを表示制御部１１ａに出力する。これに応答して、表示制御部１１ａは、ワード選択部１１ｂによって受け付けられた指定ワードを指定ファイル名として指定ファイル名表示欄１１３に表示する。
【００５２】
また、ワード選択部１１ｂは、複数の指定ワードを受け付けた場合に、受け付けられた複数の指定ワードを順次連結して、指定ファイル名を作成する。そして、ワード選択部１１ｂは、作成された指定ファイル名のデータを表示制御部１１ａに出力する。これに応答して、表示制御部１１ａは、ワード選択部１１ｂによって受け付けられた複数の指定ワードが連結されたファイル名を指定ファイル名として指定ファイル名表示欄１１３に表示する。
【００５３】
この後、ワード選択部１１ｂは、ユーザによって決定ボタン１１２（図４参照）が押下されると、表示制御部１１ａから指定ワード選択画面１０１の指定ファイル名表示欄１１３に表示されている指定ファイル名を取得する。ワード選択部１１ｂは、表示制御部１１ａから取得された指定ファイル名を画像データに付与するファイル名に決定し、その指定ファイル名をファイル作成部１１ｃに出力する。
【００５４】
ファイル作成部１１ｃは、ワード選択部１１ｂによって決定された指定ファイル名を、画像読取部４によって読み取られた原稿の画像データに付与する機能手段である。
【００５５】
記憶部１２は、ＲＯＭ等の読み出し専用の不揮発性メモリや、フラッシュメモリ等の書き換え可能な不揮発性メモリ、ハードディスク等の記憶装置によって構成されている。記憶部１２は、記憶領域として、プログラム記憶部１２ａ、画面フォーム記憶部１２ｂ、及び、候補ワード記憶部１２ｃが設けられている。
【００５６】
プログラム記憶部１２ａは、各種のプログラム（例えば、制御部１１を表示制御部１１ａ、ワード選択部１１ｂ、及び、ファイル作成部１１ｃとして機能させる図示せぬ制御プログラム）が記憶される記憶領域である。
【００５７】
画面フォーム記憶部１２ｂは、各種の画面（例えば、図４に示す指定ワード選択画面１０１）のフォームデータが予め記憶される記憶領域である。
【００５８】
候補ワード記憶部１２ｃは、ファイル名を構成するワードのうち、使用頻度の高い複数のワードが候補ワードとして予め記憶される記憶領域である。
【００５９】
ファイル送信部１３は、ネットワーク９１を介して、ファイル作成部１１ｃによって作成された画像ファイルデータを図示せぬ外部の機器に送信する機能手段である。ファイル送信部１３は、ファイル作成部１１ｃから画像ファイルデータを送信用ファイルデータとして受け取り、ネットワーク９１を介して、画像ファイルデータを外部の機器に送信する。なお、送信方法としては、ＬＡＮ（Ｌｏｃａｌ  Ａｒｅａ  Ｎｅｔｗｏｒｋ）を使用した電子メール送信や、ＦＴＰ（Ｆｉｌｅ  Ｔｒａｎｓｆｅｒ  Ｐｒｏｔｏｃｏｌ）送信、ＣＩＦＳ（Ｃｏｍｍｏｎ  Ｉｎｔｅｒｎｅｔ  Ｆｉｌｅ  Ｓｙｓｔｅｍ）送信、電話回線とモデムとを使用したデータ通信等が挙げられる。
【００６０】
＜画像読取装置の動作＞
以下、図３及び図４を参照して、ＭＦＰ１の動作につき説明する。図３は、実施形態１に係る画像読取装置の動作を示すフローチャートである。図４は、前記した通り、実施形態１で用いる表示画面の一例を示す図である。
【００６１】
なお、ＭＦＰ１は、図示せぬタイマによって計測された時間に基づいて動作する。また、図２には、各構成要素が各種のデータを後段の構成要素にダイレクトに出力するように描かれている。しかしながら、実際には、各構成要素は、記憶部１２を介して、各種のデータを後段の構成要素に出力する。すなわち、前段の構成要素が各種のデータを記憶部１２に一旦格納し、後段の構成要素がそのデータを記憶部１２から読み出す。これらの一連の動作は、読み出し自在に、プログラム記憶部１２ａに予め格納されている制御プログラムによって規定されている。以下、これらの点については、情報処理では常套手段であるので、その詳細な説明を省略する。
【００６２】
（画像読取装置の動作の概要）
以下、ＭＦＰ１の動作の概略につき説明する。ここでは、ＭＦＰ１が画像ファイルデータを作成して所定の画像受信装置（図示せず）に送信する場合を想定して説明する。
【００６３】
（１）まず、ユーザは、ＭＦＰ１の画像読取部４のフラットベット（ＦＢ）又は自動原稿搬送装置（ＡＤＦ）のいずれか一方に原稿をセットする。これに応答して、ＭＦＰ１は、表示制御部１１ａが指定ワード選択画面１０１（図４参照）を表示部２に表示させる。
【００６４】
（２）次に、ユーザは、指定ワード選択画面１０１に一覧表示されている複数のワード選択ボタン１１０（図４参照）の中から、所望の候補ワードが表示された１乃至複数のボタンを選択する。ＭＦＰ１のワード選択部１１ｂは、候補ワードが選択される度に、選択された候補ワードを指定ワードとして受け付ける。
【００６５】
（３）ＭＦＰ１は、ユーザが指定ワード選択画面１０１に表示されている決定ボタン１１２（図４参照）を押下すると、ワード選択部１１ｂが受け付けられた１乃至複数の指定ワードに基づいて、指定ファイル名を決定する。そして、ＭＦＰ１は、画像読取部４が原稿の画像の読取処理を開始して、原稿の画像データを生成する。このとき生成された画像データは、記憶部１２の図示せぬ記憶領域に一時的に格納される。
【００６６】
なお、読取処理は、ユーザが決定ボタン１１２を押下すると、表示制御部１１ａが読取処理の開始をＭＦＰ１に指示する読取ボタン（図示せず）を表示部２に表示させ、ユーザがその読取ボタンを押下することによって、行われるようにしてもよい。
【００６７】
（４）ＭＦＰ１は、原稿の画像データが生成されると、ファイル作成部１１ｃが、ワード選択部１１ｂによって決定された指定ファイル名を画像データに付与して、画像ファイルデータを作成する。この後、ＭＦＰ１は、ファイル送信部１３が、ネットワーク９１を介して、作成された画像ファイルデータを所定の画像受信装置（図示せず）に送信する。
【００６８】
（画像読取装置の動作の詳細）
以下、ＭＦＰ１の動作の詳細につき説明する。ＭＦＰ１は、ユーザが画像読取部４のフラットベット（ＦＢ）又は自動原稿搬送装置（ＡＤＦ）のいずれか一方に原稿をセットすることにより、動作を開始する。
【００６９】
図３に示すように、ＭＦＰ１は、まず、表示制御部１１ａが、画面フォーム記憶部１２ｂから指定ワード選択画面１０１（図４参照）のフォームデータを読み出す。また、ワード選択部１１ｂが、候補ワード記憶部１２ｃからファイル名としてよく使用される候補ワードデータを読み出して、表示制御部１１ａに出力する（Ｓ１０５）。
【００７０】
表示制御部１１ａは、ワード選択部１１ｂから候補ワードデータが入力されると、候補ワードの画像を指定ワード選択画面１０１のフォームデータに含まれているワード選択ボタン１１０の画像に合成して、指定ワード選択画面１０１を生成する。そして、表示制御部１１ａは、生成された指定ワード選択画面１０１を表示部２に表示させる（Ｓ１１０）。
【００７１】
ユーザは、表示された指定ワード選択画面１０１を参照して、指定ワード選択画面１０１に表示された、いずれかのボタンを押下する。ＭＦＰ１は、入力部３が押下されたボタンの座標位置を表す座標位置データをワード選択部１１ｂに出力する。これに応答して、ワード選択部１１ｂは、入力受付処理を実行する（Ｓ１１５）。
【００７２】
入力受付処理では、ワード選択部１１ｂは、表示制御部１１ａから表示中の指定ワード選択画面１０１のデータを取得して、座標位置データが表す座標位置に対応するボタンが何のボタンであるのかを判定する（以下、同様）。これによって、ワード選択部１１ｂは、入力されたボタンが何のボタンであるのかを判定する（Ｓ１２０）。
【００７３】
なお、このとき、ワード選択部１１ｂは、入力部３から入力された座標位置データを表示制御部１１ａに出力して、表示制御部１１ａから座標位置データが表す座標位置に対応するボタンのデータを取得し、そのボタンのデータに基づいて、座標位置データが表す座標位置に対応するボタンが何のボタンであるのかを判定するようにしてもよい（以下、同様）。
【００７４】
Ｓ１２０の判定で、入力されたボタンがワード選択ボタン１１０（図４参照）である場合に、ワード選択部１１ｂは、そのワード選択ボタン１１０によって表されている候補ワードを特定し、その候補ワードを指定ワードとして受け付ける。
【００７５】
ワード選択部１１ｂは、候補ワードを指定ワードとして受け付けると、入力部３から入力された座標位置データを表示制御部１１ａに出力して、表示制御部１１ａに、座標位置データが表す座標位置に対応するボタン（ここでは、指定ワードとして受け付けられた候補ワードのワード選択ボタン１１０）の強調表示の指示を出力する。これに応答して、表示制御部１１ａは、指定ワードとして受け付けられた候補ワードのワード選択ボタン１１０（以下、「指定ボタン」と称する）が強調表示された指定ワード選択画面１０１を生成して、表示部２に表示させる（Ｓ１２５）。これにより、指定ボタンが、強調表示される。なお、「強調表示」の方法としては、指定ボタンの色を変更したり、指定ボタンを反転表示したりする等の方法が挙げられる。
【００７６】
図４に示す例では、指定ボタンとして、ハッチングが付されたワード選択ボタン１１０（すなわち、「今日の日付」を表すワード選択ボタン１１０ａ、「ＰＪ−Ａ（プロジェクト−Ａ）」を表すワード選択ボタン１１０ｂ、及び、「議事録」を表すワード選択ボタン１１０ｃ）が示されている。
【００７７】
Ｓ１２５の後、ワード選択部１１ｂは、既に受け付けられた指定ワード（以下、「既指定ワード」と称する）が存在するか否かを判定する（Ｓ１３０）。このＳ１３０の判定は、例えば、既指定ワードが記憶部１２に格納されているか否かを判定することによって行うことができる。
【００７８】
Ｓ１３０の判定は、ユーザが指定ワード選択画面１０１で指定ファイル名として１回目の指定ワードを選択する場合（すなわち、ユーザが指定ファイル名の先頭の指定ワードを選択する場合）に、既指定ワードが存在しない（“Ｎｏ”）と判定される。この場合に、ワード選択部１１ｂは、ユーザによって今回選択された指定ワードを指定ファイル名と見なし、選択された指定ワードに基づいて指定ファイル名を作成する。そして、ワード選択部１１ｂは、作成された指定ファイル名のデータを記憶部１２に一時的に格納するとともに、作成された指定ファイル名のデータを表示制御部１１ａに出力して、表示制御部１１ａに、指定ファイル名の指定ファイル名表示欄１１３への表示の指示を出力する。
【００７９】
以下、「ユーザによって今回選択された指定ワードを指定ファイル名と見なし、選択された指定ワードに基づいて指定ファイル名を作成する」動作を「指定ワードによる指定ファイル名の作成」動作と称する。
【００８０】
表示制御部１１ａは、指示に応答して、指定ファイル名が指定ファイル名表示欄１１３に表示された指定ワード選択画面１０１（図４参照）を生成して、表示部２に表示させる（Ｓ１３５）。これにより、指定ファイル名が、指定ファイル名表示欄１１３に表示される。
【００８１】
例えば、ユーザが１回目の指定ワード（すなわち、指定ファイル名の先頭の指定ワード）として「今日の日付」を表すワード選択ボタン１１０ａを選択した場合に、「今日の日付」を表す指定ファイル名が、指定ファイル名表示欄１１３に表示される。具体的には、「今日の日付」が２０１０年０４月１６日である場合に、指定ファイル名として「１００４１６」が、指定ファイル名表示欄１１３に表示される。なお、この表示の形式は、一例に過ぎず、運用に応じて適宜変更することができる。
この後、処理は、Ｓ１１５に戻る。その結果、ＭＦＰ１は、Ｓ１１５以降の処理（具体的にはＳ１１５〜Ｓ１３０、及び、Ｓ１４０の処理）を繰り返し実行する。
【００８２】
一方、Ｓ１３０の判定は、ユーザが指定ファイル名として２回目以降の指定ワードを選択する場合（すなわち、ユーザが指定ファイル名の先頭以外の指定ワードを選択する場合）に、既指定ワードが存在する（“Ｙｅｓ”）と判定される。この場合に、ワード選択部１１ｂは、既指定ワードの後にユーザによって今回選択された指定ワードを連結することによって、指定ファイル名を作成する。そして、ワード選択部１１ｂは、作成された指定ファイル名のデータを記憶部１２に一時的に格納するとともに、作成された指定ファイル名のデータを表示制御部１１ａに出力して、表示制御部１１ａに、指定ファイル名の指定ファイル名表示欄１１３への表示の指示を出力する。
【００８３】
以下、「既指定ワードの後にユーザによって今回選択された指定ワードを連結することによって、指定ファイル名を作成する」動作を「指定ワード連結による指定ファイル名の作成」動作と称する。
【００８４】
表示制御部１１ａは、指示に応答して、指定ファイル名が指定ファイル名表示欄１１３に表示された指定ワード選択画面１０１（図４参照）を生成して、表示部２に表示させる（Ｓ１４０）。これにより、指定ファイル名が、指定ファイル名表示欄１１３に表示される。
【００８５】
例えば、ユーザが２回目の指定ワード（すなわち、指定ファイル名の先頭から２番目の指定ワード）として「ＰＪ−Ａ（プロジェクト−Ａ）」を表すワード選択ボタン１１０ｂを選択した場合に、指定ワード「今日の日付」と指定ワード「ＰＪ−Ａ」とが連結された指定ファイル名が、指定ファイル名表示欄１１３に表示される。具体的には、指定ファイル名として「１００４１６ＰＪ−Ａ」が、指定ファイル名表示欄１１３に表示される。なお、この表示の形式は、一例に過ぎず、運用に応じて適宜変更することができる。
【００８６】
この後、処理は、Ｓ１１５に戻る。その結果、ＭＦＰ１は、Ｓ１１５以降の処理（具体的にはＳ１１５〜Ｓ１３０、及び、Ｓ１４０の処理）を繰り返し実行する。なお、例えば、ユーザが３回目の指定ワード（すなわち、指定ファイル名の先頭から３番目の指定ワード）として「議事録」を表すワード選択ボタン１１０ｃを選択した場合に、指定ファイル名として「１００４１６ＰＪ−Ａ議事録」が、指定ファイル名表示欄１１３に表示される。
【００８７】
したがって、ＭＦＰ１は、ユーザが１つの指定ワードを選択した場合に、今回選択された指定ワードのみを指定ファイル名として指定ファイル名表示欄１１３に表示し、また、ユーザが複数の指定ワードを選択した場合に、複数の指定ワードが連結された指定ファイル名を指定ファイル名表示欄１１３に表示する。なお、ＭＦＰ１は、指定ワードとして同じ候補ワードを繰り返し選択することも可能である。
【００８８】
Ｓ１２０の判定で、入力されたボタンが取消ボタン１１１（図４参照）である場合に、ワード選択部１１ｂは、指定ボタンの強調表示を解除する指示を表示制御部１１ａに出力する。これに応答して、表示制御部１１ａは、Ｓ１２５で行われた指定ボタンの強調表示を解除する（Ｓ１４５）。
【００８９】
次に、ワード選択部１１ｂは、記憶部１２に一時的に格納された指定ワード及び指定ファイル名のデータをクリア（消去）するとともに、指定ファイル名表示欄１１３に表示された指定ファイル名をクリアする指示を表示制御部１１ａに出力する。これに応答して、表示制御部１１ａは、指定ファイル名表示欄１１３に表示された指定ファイル名をクリアする（Ｓ１５０）。
この後、処理は、Ｓ１１５に戻る。その結果、ＭＦＰ１は、Ｓ１１５以降の処理（具体的にはＳ１１５〜Ｓ１３０、及び、Ｓ１４０の処理）を繰り返し実行する。
【００９０】
Ｓ１２０の判定で、入力されたボタンが決定ボタン１１２（図４参照）である場合に、ワード選択部１１ｂは、原稿の画像の読取処理の実行指示を画像読取部４（図２参照）に出力するとともに、記憶部１２に一時的に格納された指定ファイル名のデータをファイル作成部１１ｃ（図２参照）に出力する。これに応答して、画像読取部４は、原稿の画像を読み取り、画像データを生成する（Ｓ１５５）。
【００９１】
ファイル作成部１１ｃは、画像データが生成されると、指定ファイル名を画像データに付与して、画像ファイルデータを作成する（Ｓ１６０）。
【００９２】
ファイル送信部１３（図２参照）は、画像ファイルデータが作成されると、作成された画像ファイルデータを所定の画像受信装置（図示せず）に送信する（Ｓ１６５）。これにより、ＭＦＰ１は、動作を終了する。
【００９３】
このようなＭＦＰ１は、表示制御部１１ａが、画像データのファイル名として又はその一部として使用可能な複数の候補ワードをワード選択ボタン１１０として表示部２に表示させる。これにより、ユーザは、表示部２に表示されたワード選択ボタン１１０の中から、ファイル名に使用する候補ワードが表された１乃至複数のボタンを選択するだけで、指定ファイル名に使用する候補ワードを指定することができる。しかも、ユーザは、ユーザが望むワードの順番通りに、指定ファイル名に使用する候補ワードを指定することができる。すなわち、ＭＦＰ１は、指定ファイル名に対し、ユーザが望む順番で候補ワードを配列させることができる。例えば、図４に示すように、ユーザは、「今日の日付」を優先して指定ファイル名を指定したい場合に、「今日の日付」を表すワード選択ボタン１１０ａを選択し、その後に、他のワード選択ボタン１１０を選択するによって、ユーザが望む順番で候補ワードを配列させることができる。
【００９４】
また、ＭＦＰ１は、例えば、図４に示すように、既に選択されたワード選択ボタン１１０の全てを指定ボタンとして同時に強調表示するとともに、指定ワードとして受け付けられた候補ワードを連結することによって作成された指定ファイル名を指定ファイル名表示欄１１３に表示する。
【００９５】
これにより、ＭＦＰ１は、ユーザが指定ワードとして既に受け付けられた候補ワードを意図せずに重複して選択するのを防止することができる。
また、ユーザは、強調したい候補ワードが存在する場合に、強調表示された指定ボタンを目印にして、意図的に重複して指定ボタンを選択することができる。そのため、ＭＰＦ１は、強調したい候補ワードが重複して含まれている指定ファイル名を容易に作成できるように、ユーザを誘導することもできる。
【００９６】
以上の通り、本実施形態１に係るＭＦＰ１によれば、光学的に読み取られた原稿の画像データに付与するファイル名を、ユーザが望むワードの順番通りに簡単な操作で指定することができる。そのため、ＭＦＰ１によれば、従来の画像読取装置と異なり、ユーザが画像データに付与されたファイル名を後から変更する必要がなくなり、これにより、利便性を向上させることができる。
【００９７】
［実施形態２］
本実施形態２に係る画像読取装置としてのＭＦＰ（以下、「ＭＦＰ１Ａ（図示せず）」と称する）は、実施形態１に係るＭＦＰ１と比較すると、ワード選択ボタン１１０をスクロール可能でかつ選択可能に一覧表示させる（図６Ａ参照）点で相違している。
【００９８】
本実施形態２に係るＭＦＰ１Ａ（図示せず）は、構成が実施形態１に係るＭＦＰ１（図１及び図２参照）と同じであるが、動作が実施形態１に係るＭＦＰ１と一部異なる。以下、図５及び図６Ａを参照して、本実施形態２に係るＭＦＰ１Ａの動作につき説明する。図５は、実施形態２に係る画像読取装置の動作を示すフローチャートである。図６Ａは、実施形態２で用いる表示画面の一例を示す図である。
【００９９】
ここでは、本実施形態２に係るＭＦＰ１Ａの動作について、実施形態１に係るＭＦＰ１と相違する動作を重点的に説明し、実施形態１に係るＭＦＰ１と同様の動作（図３参照）については、前記した実施形態１に係るＭＦＰ１の動作を本実施形態２に係るＭＦＰ１Ａの動作に読み替えるものとして、詳細な説明を省略する。
【０１００】
図５に示すように、本実施形態２に係るＭＦＰ１Ａの動作は、実施形態１に係るＭＦＰ１の動作（図３参照）と比較すると、（１）Ｓ１１０及びＳ１２０の処理の代わりに、Ｓ１１０ａ及びＳ１２０ａの処理が行われる点、及び、（２）Ｓ１２０ａとＳ１２５との間でＳ１２１の判定処理が行われ、Ｓ１２１の判定で“Ｙｅｓ”の場合に、Ｓ１２５の処理が行われ、一方、Ｓ１２１の判定で“Ｎｏ”の場合に、Ｓ１２２の処理が行われる点で相違する。
【０１０１】
すなわち、本実施形態２では、Ｓ１１０ａにおいて、表示制御部１１ａは、ワード選択部１１ｂから候補ワードデータが入力されると、候補ワードの画像を指定ワード選択画面１０１Ａ（図６Ａ参照）のフォームデータに含まれているワード選択ボタン１１０の画像に合成して、指定ワード選択画面１０１Ａを生成する。そして、表示制御部１１ａは、生成された指定ワード選択画面１０１Ａを表示部２に表示させる。
【０１０２】
なお、「指定ワード選択画面１０１Ａ」は、実施形態１で用いられた指定ワード選択画面１０１（図４参照）に対し、スクロールボタン１２１が付加された構成となっている。「スクロールボタン１２１」は、より多くの候補ワードを表示することができるように、ワード選択ボタン１１０をスクロール表示させるためのボタンである。
【０１０３】
また、本実施形態２では、Ｓ１２０ａにおいて、ワード選択部１１ｂは、入力されたボタンが何のボタンであるのかを判定する。このとき、ワード選択部１１ｂは、入力されたボタンの種類として、（１）ワード選択ボタン１１０又はスクロールボタン１２１、（２）取消ボタン１１１、及び、（３）決定ボタン１１２の３種類に大別して判定する。そして、Ｓ１２０ａの判定で、入力されたボタンがワード選択ボタン１１０又はスクロールボタン１２１であると判定された場合に、処理は、Ｓ１２１に進む。なお、Ｓ１２０ａの判定で、入力されたボタンが取消ボタン１１１であると判定された場合に、処理は、Ｓ１４５に進む。また、Ｓ１２０ａの判定で、入力されたボタンが決定ボタン１１２であると判定された場合に、処理は、Ｓ１５５に進む。
【０１０４】
本実施形態２では、Ｓ１２１において、ワード選択部１１ｂは、入力されたボタンがワード選択ボタン１１０であるのか又はスクロールボタン１２１であるのかを判定する。Ｓ１２１の判定で、入力されたボタンがワード選択ボタン１１０であると判定された場合（“Ｙｅｓ”の場合）に、処理は、Ｓ１２５に進む。一方、Ｓ１２１の判定で、入力されたボタンがスクロールボタン１２１であると判定された場合（“Ｎｏ”の場合）に、処理は、Ｓ１２２に進む。
【０１０５】
本実施形態２では、Ｓ１２２において、ワード選択部１１ｂは、スクロールボタン１２１によって指定された領域のスクロール表示の指示を表示制御部１１ａに出力する。これに応答して、表示制御部１１ａは、スクロールボタン１２１によって指定された領域のワード選択ボタン１１０がスクロールボタン１２１のマークの方向にスクロールされた指定ワード選択画面１０１Ａを生成して、表示部２に表示させる（Ｓ１２２）。これにより、スクロールボタン１２１によって指定された領域のワード選択ボタン１１０が、スクロール表示される。
この後、処理は、Ｓ１１５に戻る。その結果、ＭＦＰ１Ａは、Ｓ１１５以降の処理を繰り返し実行する。
【０１０６】
このようなＭＦＰ１Ａは、候補ワードをスクロール表示することができるため、ユーザの望む候補ワードの選択肢を増やすことができ、その結果、より利便性を向上させることができる。
【０１０７】
なお、ＭＦＰ１Ａは、実施形態１に係るＭＦＰ１と同様に、指定ワードとして同じ候補ワードを繰り返し選択することが可能である。図６Ｂは、実施形態２で用いる表示画面の一例を示す図である。図６Ｂは、「今日の日付」を表すワード選択ボタン１１０ａ及び「ＰＪ−Ａ（プロジェクト−Ａ）」を表すワード選択ボタン１１０ｂがユーザによって選択された後に、再び、「今日の日付」を表すワード選択ボタン１１０ａがユーザによって選択された場合の例を示している。
【０１０８】
ＭＦＰ１Ａは、図６Ｂに示すように、既に選択されたワード選択ボタン１１０の全てを指定ボタンとして同時に強調表示するとともに、指定ワードとして受け付けられた候補ワードを連結することによって作成された指定ファイル名を指定ファイル名表示欄１１３に表示する。
【０１０９】
ユーザは、強調したい候補ワードが存在する場合に、強調表示された指定ボタンを目印にして、意図的に重複して指定ボタンを選択することができる。そのため、ＭＰＦ１は、強調したい候補ワードが重複して含まれている指定ファイル名を容易に作成できるように、ユーザを誘導することができる。
【０１１０】
以上の通り、本実施形態２に係るＭＦＰ１Ａによれば、実施形態１に係るＭＦＰ１の効果に加え、候補ワードをスクロール表示することができるため、ユーザの望む候補ワードの選択肢を増やすことができ、その結果、より利便性を向上させることができる。
【０１１１】
［実施形態３］
本実施形態３に係る画像読取装置としてのＭＦＰ（以下、「ＭＦＰ１Ｂ（図７参照）」と称する）は、実施形態１に係るＭＦＰ１（図２参照）と比較すると、制御部１１Ｂが、表示制御部１１ａ、ワード選択部１１ｂ、及び、ファイル作成部１１ｃとして機能するとともに、候補ワード登録部１１ｄとしても機能する点で相違している。なお、図７は、実施形態３に係る画像読取装置の構成を示す図である。
【０１１２】
候補ワード登録部１１ｄは、新規の候補ワードを候補ワード記憶部１２ｃに追加登録する機能手段である。候補ワード登録部１１ｄは、指定ファイル名を構成する指定ワードのうち、使用頻度の１乃至高い複数の指定ワードを新規の候補ワードとして候補ワード記憶部１２ｃに追加登録する。
【０１１３】
なお、実施形態３では、候補ワード記憶部１２ｃは、フラッシュメモリ等の書き換え可能な不揮発性メモリ、又は、ハードディスク等の記憶装置によって構成されている。
【０１１４】
以下、図８Ａ、図８Ｂ、図９、及び、図１０を参照して、本実施形態３に係るＭＦＰ１Ｂの動作につき説明する。図８Ａ及び図８Ｂは、それぞれ、実施形態３に係る画像読取装置の動作を示すフローチャートである。図９及び図１０は、それぞれ、実施形態３で用いる表示画面の一例を示す図である。ここでは、本実施形態３に係るＭＦＰ１Ｂの動作について、実施形態１に係るＭＦＰ１と相違する動作を重点的に説明し、実施形態１に係るＭＦＰ１と同様の動作（図３参照）については、前記した実施形態１に係るＭＦＰ１の動作を本実施形態３に係るＭＦＰ１Ｂの動作に読み替えるものとして、詳細な説明を省略する。
【０１１５】
図８Ａに示すように、本実施形態３に係るＭＦＰ１Ｂの動作は、実施形態１に係るＭＦＰ１の動作（図３参照）と比較すると、（１）Ｓ１１０及びＳ１２０の処理の代わりに、Ｓ１１０ｂ及びＳ１２０ｂの処理が行われる点、及び、（２）Ｓ１２０ｂとＳ１２５との間でＳ２０５の判定処理が行われ、Ｓ２０５の判定で“Ｙｅｓ”の場合に、Ｓ１２５の処理が行われ、一方、Ｓ２０５の判定で“Ｎｏ”の場合に、Ｓ２１０の処理が行われる点で相違する。
【０１１６】
すなわち、本実施形態３では、Ｓ１１０ｂにおいて、表示制御部１１ａは、ワード選択部１１ｂから候補ワードデータが入力されると、候補ワードの画像を指定ワード選択画面１０１Ｂ（図９参照）のフォームデータに含まれているワード選択ボタン１１０の画像に合成して、指定ワード選択画面１０１Ｂを生成する。そして、表示制御部１１ａは、生成された指定ワード選択画面１０１Ｂを表示部２に表示させる。
【０１１７】
なお、「指定ワード選択画面１０１Ｂ」は、実施形態１で用いられた指定ワード選択画面１０１（図４参照）に対し、登録ボタン１３１が付加された構成となっている。「登録ボタン１３１」は、新規の候補ワードを追加登録するための画面（以下、「候補ワード登録画面２０１（図１０参照）」と称する）を表示部２に表示させるためのボタンである。
【０１１８】
図１０に示す例では、「候補ワード登録画面２０１」は、文字ボタン２１０、取消ボタン２１１、登録ボタン２１２、及び、入力文字表示欄２１３を備えた構成となっている。
【０１１９】
「文字ボタン２１０」は、新規に登録される候補ワードを構成する文字を入力するためのボタンである。
「取消ボタン２１１」は、ユーザの操作の取り消し指示を入力するためのボタンである。
「登録ボタン２１２」は、新規の候補ワードの登録指示を入力するためのボタンである。
「入力文字表示欄２１３」は、新規に登録される候補ワードとして、ユーザによって入力された文字の列が表示される欄である。以下、ユーザによって入力された文字を「入力文字」と称する。また、入力文字の列を「入力文字列」と称する。入力文字表示欄２１３に表示された入力文字又は入力文字列が、候補ワードとして候補ワード記憶部１２ｃ（図７参照）に登録されるワードとなる。
【０１２０】
また、本実施形態３では、Ｓ１２０ｂにおいて、ワード選択部１１ｂは、入力されたボタンが何のボタンであるのかを判定する。このとき、ワード選択部１１ｂは、入力されたボタンの種類として、（１）ワード選択ボタン１１０又は登録ボタン１３１、（２）取消ボタン１１１、及び、（３）決定ボタン１１２の３種類に大別して判定する。そして、Ｓ１２０ｂの判定で、入力されたボタンがワード選択ボタン１１０又は登録ボタン１３１であると判定された場合に、処理は、Ｓ２０５に進む。なお、Ｓ１２０ｂの判定で、入力されたボタンが取消ボタン１１１であると判定された場合に、処理は、Ｓ１４５に進む。また、Ｓ１２０ｂの判定で、入力されたボタンが決定ボタン１１２であると判定された場合に、処理は、Ｓ１５５に進む。
【０１２１】
本実施形態３では、Ｓ２０５において、ワード選択部１１ｂは、入力されたボタンがワード選択ボタン１１０であるのか又は登録ボタン１３１であるのかを判定する。Ｓ２０５の判定で、入力されたボタンがワード選択ボタン１１０であると判定された場合（“Ｙｅｓ”の場合）に、処理は、Ｓ１２５に進む。一方、Ｓ２０５の判定で、入力されたボタンが登録ボタン１３１であると判定された場合（“Ｎｏ”の場合）に、処理は、Ｓ２１０に進む。
【０１２２】
本実施形態３では、Ｓ２１０において、候補ワードの登録処理が行われる。Ｓ２１０の「候補ワードの登録処理」は、図８Ｂに示すサブルーチンプログラムとしての処理に従って行われる。
【０１２３】
具体的には、図８Ｂに示すように、ＭＦＰ１Ｂは、まず、表示制御部１１ａが、画面フォーム記憶部１２ｂから候補ワード登録画面２０１（図１０参照）のフォームデータを読み出し（Ｓ３０５）、候補ワード登録画面２０１を表示部２に表示させる（Ｓ３１０）。
【０１２４】
ユーザは、表示された候補ワード登録画面２０１を参照して、候補ワード登録画面２０１に表示された、いずれかのボタンを押下する。ＭＦＰ１Ｂは、入力部３が押下されたボタンの座標位置を表す座標位置データをワード選択部１１ｂ（又は、候補ワード登録部１１ｄ）に出力する。これに応答して、ワード選択部１１ｂ（又は、候補ワード登録部１１ｄ）は、入力受付処理を実行する（Ｓ３１５）。
【０１２５】
入力受付処理では、ワード選択部１１ｂ（又は、候補ワード登録部１１ｄ）は、表示制御部１１ａから表示中の候補ワード登録画面２０１のデータを取得して、座標位置データが表す座標位置に対応するボタンが何のボタンであるのかを判定する（以下、同様）。これによって、ワード選択部１１ｂ（又は、候補ワード登録部１１ｄ）は、入力されたボタンが何のボタンであるのかを判定する（Ｓ３２０）。
【０１２６】
なお、このとき、ワード選択部１１ｂ（又は、候補ワード登録部１１ｄ）は、入力部３から入力された座標位置データを表示制御部１１ａに出力して、表示制御部１１ａから座標位置データが表す座標位置に対応するボタンのデータを取得し、そのボタンのデータに基づいて、座標位置データが表す座標位置に対応するボタンが何のボタンであるのかを判定するようにしてもよい（以下、同様）。
【０１２７】
Ｓ３２０の判定で、入力されたボタンが文字ボタン２１０（図１０参照）である場合に、ワード選択部１１ｂ（又は、候補ワード登録部１１ｄ）は、既に受け付けられた入力文字（以下、「既入力文字」と称する）が存在するか否かを判定する（Ｓ３２５）。このＳ３２５の判定は、例えば、既入力文字が記憶部１２に格納されているか否かを判定することによって行うことができる。
【０１２８】
Ｓ３２５の判定は、ユーザが候補ワード登録画面２０１で１番目の文字を入力する場合に、既入力文字が存在しない（“Ｎｏ”）と判定される。この場合に、ワード選択部１１ｂ（又は、候補ワード登録部１１ｄ）は、入力文字のデータを記憶部１２に一時的に格納するとともに、入力文字のデータを表示制御部１１ａに出力して、表示制御部１１ａに、入力文字の入力文字表示欄２１３への表示の指示を出力する。
【０１２９】
表示制御部１１ａは、指示に応答して、入力文字が入力文字表示欄２１３に表示された候補ワード登録画面２０１（図１０参照）を生成して、表示部２に表示させる（Ｓ３３０）。これにより、１番目の文字が、入力文字表示欄２１３に表示される。
この後、処理は、Ｓ３１５に戻る。その結果、ＭＦＰ１Ｂは、Ｓ３１５以降の処理（具体的にはＳ３１５〜Ｓ３２５、及び、Ｓ３３５の処理）を繰り返し実行する。
【０１３０】
一方、Ｓ３２５の判定は、ユーザが候補ワード登録画面２０１で２番目以降の文字を入力する場合に、既入力文字が存在する（“Ｙｅｓ”）と判定される。この場合に、ワード選択部１１ｂ（又は、候補ワード登録部１１ｄ）は、既入力文字の後に今回の入力文字を連結することによって、入力文字列を作成する。そして、ワード選択部１１ｂは、作成された入力文字列を記憶部１２に一時的に格納するとともに、作成された入力文字列のデータを表示制御部１１ａに出力して、表示制御部１１ａに、入力文字列の入力文字表示欄２１３への表示の指示を出力する。
【０１３１】
表示制御部１１ａは、指示に応答して、入力文字列が入力文字表示欄２１３に表示された候補ワード登録画面２０１（図１０参照）を生成して、表示部２に表示させる（Ｓ３３５）。これにより、２番目以降の文字を含む文字列が、入力文字表示欄２１３に表示される。
この後、処理は、Ｓ３１５に戻る。その結果、ＭＦＰ１Ｂは、Ｓ３１５以降の処理（具体的にはＳ３１５〜Ｓ３２５、及び、Ｓ３３５の処理）を繰り返し実行する。
【０１３２】
Ｓ３２０の判定で、入力されたボタンが取消ボタン２１１（図１０参照）である場合に、ワード選択部１１ｂ（又は、候補ワード登録部１１ｄ）は、記憶部１２に一時的に格納された入力文字又は入力文字列をクリア（消去）するとともに、入力文字表示欄２１３に表示された入力文字又は入力文字列をクリアする指示を表示制御部１１ａに出力する。これに応答して、表示制御部１１ａは、入力文字表示欄２１３に表示された入力文字又は入力文字列をクリアする（Ｓ３４０）。
この後、処理は、Ｓ３１５に戻る。その結果、ＭＦＰ１Ｂは、Ｓ３１５以降の処理（具体的にはＳ３１５〜Ｓ３２５、及び、Ｓ３３５の処理）を繰り返し実行する。
【０１３３】
Ｓ３２０の判定で、入力されたボタンが決定ボタン２１２（図１０参照）である場合に、候補ワード登録部１１ｄは、記憶部１２に一時的に格納された入力文字又は入力文字列（すなわち、入力文字表示欄２１３に表示された入力文字又は入力文字列）を新規の候補ワードとして候補ワード記憶部１２ｃ（図７参照）に登録する。これにより、Ｓ２１０の「候補ワードの登録処理」が終了する。この後、処理は、図８Ａに示すＳ１１５に戻る。
【０１３４】
このようなＭＦＰ１Ｂは、ユーザが任意の候補ワードを追加登録することができるため、ユーザの望むファイル名をさらに容易に指定することができ、その結果、より利便性を向上させることができる。
【０１３５】
以上の通り、本実施形態３に係るＭＦＰ１Ｂによれば、実施形態１に係るＭＦＰ１の効果に加え、ユーザが任意の候補ワードを追加登録することができるため、ユーザの望むファイル名をさらに容易に指定することができ、その結果、より利便性を向上させることができる。
【０１３６】
［実施形態４］
本実施形態４に係る画像読取装置としてのＭＦＰ（以下、「ＭＦＰ１Ｃ（図１１及び図１２参照）」と称する）は、実施形態３に係るＭＦＰ１Ｂ（図１及び図７参照）と比較すると、携帯情報端末６１とともに画像読取システム６００を構成しており、携帯情報端末６１から携帯情報端末６１でユーザによって指定されたファイル名（指定ファイル名）を取得し、その指定ファイル名を画像データに付与して画像ファイルデータを作成する点で相違している。
【０１３７】
以下、図１１及び図１２を参照して、本実施形態４に係る画像読取システム６００の構成につき説明する。図１１及び図１２は、それぞれ、実施形態４に係る画像読取システムの構成を示す図である。
【０１３８】
図１１及び図１２に示すように、本実施形態４に係る画像読取システム６００は、本実施形態４に係る画像読取装置としてのＭＦＰ１Ｃと、携帯情報端末６１とを有する構成となっている。
【０１３９】
本実施形態４に係るＭＦＰ１Ｃは、実施形態３に係るＭＦＰ１Ｂと同様に、表示部２、入力部３、及び、画像読取部４を有している。また、ＭＦＰ１Ｃは、実施形態３に係るＭＦＰ１Ｂと同様に、ファイル送信部１３（図１２参照）を有しており、ネットワーク９１を介して、図示せぬ外部の機器（例えば、パーソナルコンピュータやプリンタ等の画像受信装置）と通信可能に接続されている。
【０１４０】
ただし、ＭＦＰ１Ｃは、実施形態３に係るＭＦＰ１Ｂと異なり、携帯情報端末６１と無線又は有線によって通信する通信部９を有しており、携帯情報端末６１とともに、画像読取システム６００を構成している。そして、ＭＦＰ１Ｃは、ユーザが携帯情報端末６１を操作することによって指定したファイル名（指定ファイル名）を携帯情報端末６１から取得し、その指定ファイル名を画像データに付与して画像ファイルデータを作成する。
【０１４１】
図１２に示すように、ＭＦＰ１Ｃは、表示部２、入力部３、画像読取部４、通信部９、及び、ファイル送信部１３に加え、制御部１１Ｃ、及び、記憶部１２Ｃを有している。
【０１４２】
制御部１１Ｃは、ＣＰＵによって構成され、記憶部１２Ｃのプログラム記憶部１２ａに予め記憶された図示せぬ制御プログラムを実行することにより、ファイル作成部１１ｃとして機能する。
【０１４３】
記憶部１２Ｃは、ＲＯＭ等の読み出し専用の不揮発性メモリや、フラッシュメモリ等の書き換え可能な不揮発性メモリによって構成されている。記憶部１２Ｃは、記憶領域として、プログラム記憶部１２ａが設けられている。プログラム記憶部１２ａは、制御部１１Ｃをファイル作成部１１ｃとして機能させる図示せぬ制御プログラムが予め記憶されている。
【０１４４】
一方、携帯情報端末６１は、ユーザが画像データに付与する指定ファイル名を指定するための端末装置である。ここでは、携帯情報端末６１は、例えば、ｉＰｈｏｎｅ（登録商標）やＡｎｄｒｏｉｄ（登録商標）端末等のスマートフォンによって構成されている場合を想定して説明する。
【０１４５】
図１１に示すように、携帯情報端末６１は、表示部６２、入力部６３、及び、通信部６９を有している。
【０１４６】
表示部６２は、各種の情報を表示する構成要素である。表示部６２は、例えば、ＬＣＤや、有機ＥＬディスプレイ、ＣＲＴ等によって構成される。ここでは、表示部６２は、ＬＣＤによって構成されている場合を想定して説明する。
【０１４７】
入力部６３は、各種の情報を入力する構成要素である。入力部６３は、例えば、表示部６２の上に設けられたタッチパネルや、表示部６２とは異なる場所に設けられたカーソルキーや決定ボタン等の入力手段によって構成される。ここでは、入力部６３は、タッチパネルによって構成されている場合を想定して説明する。
【０１４８】
通信部６９は、外部の機器（ここでは、ＭＦＰ１Ｃ）と通信する構成要素である。通信部６９は、例えば、赤外線通信や、無線通信、Ｂｌｕｅｔｏｏｔｈ（登録商標）等の手段によって、外部の機器と近距離通信を行う。ただし、通信部６９の通信手段は、これらに限定されない。
【０１４９】
図１２に示すように、携帯情報端末６１は、表示部６２、入力部６３、及び、通信部６９に加え、制御部７１、及び、記憶部７２を有している。
【０１５０】
制御部７１は、ＣＰＵによって構成され、記憶部７２の後記するプログラム記憶部７２ａに予め記憶された図示せぬ制御プログラムを実行することにより、表示制御部７１ａ、ワード選択部７１ｂ、及び、候補ワード登録部７１ｄとして機能する。
【０１５１】
表示制御部７１ａは、各種の画面や情報を表示部２に表示させる機能手段である。表示制御部７１ａは、実施形態３の表示制御部１１ａ（図７参照）と同様の構成要素であり、実施形態３の表示制御部１１ａと同様に動作する。
【０１５２】
ワード選択部７１ｂは、画像データに付与するファイル名（ここでは、ユーザによって指定された指定ファイル名）を決定する機能手段である。ワード選択部７１ｂは、実施形態３のワード選択部１１ｂ（図７参照）と同様の構成要素であり、実施形態３のワード選択部１１ｂと同様に動作する。
【０１５３】
候補ワード登録部７１ｄは、新規の候補ワードを候補ワード記憶部１２ｃに追加登録する機能手段である。候補ワード登録部７１ｄは、実施形態３の候補ワード登録部１１ｄ（図７参照）と同様の構成要素であり、実施形態３の候補ワード登録部１１ｄと同様に動作する。
【０１５４】
記憶部７２は、ＲＯＭやＲＡＭ等によって構成されている。記憶部７２は、記憶領域として、プログラム記憶部７２ａ、画面フォーム記憶部７２ｂ、及び、候補ワード記憶部７２ｃが設けられている。
【０１５５】
プログラム記憶部７２ａは、各種のプログラム（例えば、制御部７１を表示制御部７１ａ、ワード選択部７１ｂ、及び、候補ワード登録部７１ｄとして機能させる図示せぬ制御プログラム）が記憶される記憶領域である。
【０１５６】
画面フォーム記憶部７２ｂは、各種の画面（例えば、図９に示す指定ワード選択画面１０１Ｂや図１０に示す候補ワード登録画面２０１）のフォームデータが予め記憶される記憶領域である。
【０１５７】
候補ワード記憶部７２ｃは、ファイル名を構成するワードのうち、使用頻度の高い複数のワードが候補ワードとして予め記憶される記憶領域である。
【０１５８】
以下、図１３Ａ〜図１３Ｃを参照して、本実施形態４に係る画像読取システム６００の動作につき説明する。図１３Ａ〜図１３Ｃは、それぞれ、実施形態４に係る画像読取システムの動作を示すフローチャートである。図１３Ａ及び図１３Ｂは、それぞれ、携帯情報端末６１の動作を示している。また、図１３Ｃは、ＭＦＰ１Ｃの動作を示している。
【０１５９】
本実施形態４では、ユーザが携帯情報端末６１を操作して指定ファイル名を指定し、携帯情報端末６１がその指定ファイル名を表すデータ（以下、「指定ファイル名データ」と称する）をＭＦＰ１Ｃに送信する。
【０１６０】
携帯情報端末６１の動作（図１３Ａ及び図１３Ｂ参照）は、実施形態３に係るＭＦＰ１Ｂの動作（図８Ａ及び図８Ｂ参照）に類似している。以下、本実施形態４に係る携帯情報端末６１の動作について、実施形態３に係るＭＦＰ１Ｂと相違する動作を重点的に説明し、実施形態３に係るＭＦＰ１Ｂと同様の動作（図８Ａ及び図８Ｂ参照）については、前記した実施形態３に係るＭＦＰ１Ｂの動作を本実施形態４に係る携帯情報端末６１の動作に読み替えるものとして、詳細な説明を省略する。
【０１６１】
図１３Ａに示すように、携帯情報端末６１の動作は、実施形態３に係るＭＦＰ１Ｂの動作と比較すると、Ｓ１２０ｂの判定で、入力されたボタンが決定ボタン１１２（図９参照）である場合に、処理がＳ６０５に進む点で相違している。
【０１６２】
すなわち、携帯情報端末６１は、Ｓ１２０ｂの判定で、入力されたボタンが決定ボタン１１２（図９参照）である場合に、ワード選択部１１ｂが、通信部６９に、指定ファイル名データのＭＦＰ１Ｃへの送信の指示を出力する。これに応答して、通信部６９が、指定ファイル名データをＭＦＰ１Ｃに送信する（Ｓ６０５）。これにより、携帯情報端末６１は、動作を終了する。
【０１６３】
なお、図１３Ｂに示すＳ２１０の「候補ワード登録処理」時の携帯情報端末６１の動作は、図８Ｂに示す実施形態３に係るＭＦＰ１Ｂの動作と同じであるので、ここでは、説明を省略する。
【０１６４】
Ｓ６０５で、携帯情報端末６１が指定ファイル名データをＭＦＰ１Ｃに送信すると、ＭＦＰ１Ｃが動作を開始する。
【０１６５】
図１３Ｃに示すように、ＭＦＰ１Ｃは、通信部９が、携帯情報端末６１から指定ファイル名データを受信する（Ｓ８０５）。これに応答して、画像読取部４が、原稿の画像を読み取り、画像データを生成する（Ｓ８１０）。そして、ファイル作成部１１ｃが、受信された指定ファイル名データに基づいて指定ファイル名を取得し、指定ファイル名を画像データに付与して、画像ファイルデータを作成する（Ｓ８１５）。この後、ファイル送信部１３が、作成された画像ファイルデータを所定の画像受信装置（図示せず）に送信する（Ｓ８２０）。これにより、ＭＦＰ１Ｃは、動作を終了する。
【０１６６】
本実施形態４では、ユーザは、ＭＦＰ１Ｃの直近の位置に移動しなくても、携帯情報端末６１を操作することにより、ファイル名の画像データへの付与をＭＦＰ１Ｃに指示することができる。そのため、画像読取システム６００は、実施形態３に係るＭＦＰ１Ｂよりもユーザの移動距離を軽減させることができる。
【０１６７】
しかも、ユーザは、ＭＦＰ１Ｃから離れた場所（例えば、職場のユーザのデスク）で携帯情報端末６１を予め操作して所望のファイル名を指定し、指定が終了してから、そのファイル名の画像データへの付与をＭＦＰ１Ｃに指示することができる。そのため、画像読取システム６００は、ユーザがＭＦＰ１Ｃから離れた場所で作業をしている場合に、実施形態３に係るＭＦＰ１Ｂよりもユーザの作業効率を向上させることができる。
したがって、これらの要因により、画像読取システム６００は、実施形態３に係るＭＦＰ１Ｂよりもさらに利便性を向上させることができる。
【０１６８】
以上の通り、本実施形態４に係る画像読取システム６００によれば、実施形態３に係るＭＦＰ１Ｂの効果に加え、実施形態３に係るＭＦＰ１Ｂよりもユーザの移動距離を軽減させることができ、また、ユーザが仕事をしている場合に、実施形態３に係るＭＦＰ１Ｂよりもユーザの作業効率を向上させることができる。
【０１６９】
本発明は、前記した実施形態に限定されることなく、本発明の要旨を逸脱しない範囲で種々の変更や変形を行うことができる。
【０１７０】
例えば、本発明は、ＭＦＰに限らず、スキャナ装置や、ファクシミリ装置、複写機等の画像読取装置に用いることができる。
【０１７１】
また、例えば、各実施形態において、画像読取部４は、原稿の画像を光学的に読み取る構成となっている。しかしながら、画像読取部４は、原稿を領域分けして電気をかけたときの電気的特性を読み取り、その電気的特性に基づいて原稿の画像データを生成したり、原稿を領域分けして磁気をかけたときの磁気的特性を読み取り、その磁気的特性に基づいて原稿の画像データを生成したり、又は、原稿を領域分けして部分接触する接触センサで機械的に原稿の凸凹を読み取り、その凸凹に基づいて原稿の画像データを生成したりする構成であってもよい。
【０１７２】
また、例えば、画像読取装置は、記憶媒体（例えば、メモリ部材や光学媒体等）のリーダライタを有している場合に、画像ファイルデータを記憶媒体に記憶させる画像記録装置として機能することができる。例えば、画像読取装置は、作成された画像ファイルデータを記憶部の図示せぬ記憶領域に一時的に格納しておき、その一時的に格納された画像ファイルデータをリーダライタによって記憶媒体に記憶させる構成にするとよい。なお、記憶媒体としては、例えば、ＳＤカード（登録商標）等のメモリ部材や、ＣＤ−ＲＯＭ（登録商標）やＤＶＤ（登録商標）等の光学媒体、フレキシブルディスク等の磁気媒体、その他の形態となっている。
【０１７３】
また、例えば、画像読取装置は、候補ワード登録画面２０１（図１０参照）で、別のワードに置換されるワードを新規の候補ワードとして候補ワード記憶部１２ｃ（図７参照）に登録する場合に、候補ワード登録画面２０１から元の候補ワードと置換されるワード（以下、「置換ワード」と称する）とをリンク付ける設定画面を呼び出せるようにしてもよい。なお、元の候補ワード及び置換ワードは、例えば、元の候補ワードが「今日の日付」というワードである場合に、置換ワードが「○○年○○月○○日」というワードになる。設定画面は、このような元の候補ワードと置換ワードとをリンク付ける画面である。
【符号の説明】
【０１７４】
１，１Ｂ，１Ｃ    画像読取装置（ＭＦＰ）
２，６２    表示部（ＬＣＤ）
３，６３    入力部（タッチパネル）
４    画像読取部
９，６９    通信部
１１，１１Ｂ，１１Ｃ，７１    制御部
１１ａ，７１ａ    表示制御部
１１ｂ，７１ｂ    ワード選択部
１１ｃ    ファイル作成部
１１ｄ，７１ｄ    候補ワード登録部
１２，１２Ｃ，７２    記憶部
１２ａ，７２ａ    プログラム記憶部
１２ｂ，７２ｂ    画面フォーム記憶部
１２ｃ，７２ｃ    候補ワード記憶部
１３    ファイル送信部
６１    携帯情報端末（スマートフォン）
９１    ネットワーク
１０１，１０１Ａ，１０１Ｂ    指定ワード選択画面
１１０    ワード選択ボタン
１１１，２１１    取消ボタン
１１２    決定ボタン
１１３    指定ファイル名表示欄
１２１    スクロールボタン
１３１    登録ボタン
２０１    候補ワード登録画面
２１０    文字ボタン
２１２    登録ボタン
２１３    入力文字表示欄
６００    画像読取システム
【図１】
2013045291.tif 000003
【図２】
2013045291.tif 000004
【図３】
2013045291.tif 000005
【図４】
2013045291.tif 000006
【図５】
2013045291.tif 000007
【図６Ａ】
2013045291.tif 000008
【図６Ｂ】
2013045291.tif 000009
【図７】
2013045291.tif 000010
【図８Ａ】
2013045291.tif 000011
【図８Ｂ】
2013045291.tif 000012
【図９】
2013045291.tif 000013
【図１０】
2013045291.tif 000014
【図１１】
2013045291.tif 000015
【図１２】
2013045291.tif 000016
【図１３Ａ】
2013045291.tif 000017
【図１３Ｂ】
2013045291.tif 000018
【図１３Ｃ】
2013045291.tif 000019